(57)【特許請求の範囲】
【請求項１】
ゴルフクラブのヘッドに被せてヘッドを被覆するヘッド保護部と、ゴルフクラブのシャフトのヘッド側に被せてヘッド側を被覆するシャフト保護部が連続して設けられ、ヘッド保護部は非伸縮性であるか又は伸縮性に乏しく、シャフト保護部はニット製であるゴルフクラブ用ヘッドカバーにおいて、
前記ヘッド保護部のうち、クラブヘッドの両側面側を被覆する両側面部の幅方向一部に伸縮部が設けられ、
前記伸縮部はヘッド出し入れ時に外側に広がってヘッドがその内側をスムースに通過できる伸縮性を備えたニット製であり、
前記伸縮部はシャフト保護部側から前記側面部の先端側に向けて細長であって、非伸縮性であるか又は伸縮性に乏しい前記ヘッド保護部材間に挟んで設けられ、
前記伸縮部の下部が前記ニット製のシャフト保護部に連続することを特徴するゴルフクラブ用ヘッドカバー。
【請求項２】
ゴルフクラブのヘッドに被せてヘッドを被覆するヘッド保護部と、ゴルフクラブのシャフトのヘッド側に被せてヘッド側を被覆するシャフト保護部が連続して設けられ、ヘッド保護部は非伸縮性であるか又は伸縮性に乏しく、シャフト保護部はニット製であるゴルフクラブ用ヘッドカバーにおいて、
前記ヘッド保護部のうち、クラブヘッドのヒール側を被覆する背面部の幅方向中央部分に伸縮部が設けられ、
前記伸縮部はヘッド出し入れ時に外側に広がってヘッドがその内側をスムースに通過できる伸縮性を備えたニット製であり、
前記伸縮部はシャフト保護部から背面部に入り込んで設けられて、非伸縮性であるか又は伸縮性に乏しい前記ヘッド保護部材間に挟み込まれて設けられ、
前記伸縮部の下部が前記シャフト保護部に連続することを特徴するゴルフクラブ用ヘッドカバー。
【請求項３】
ゴルフクラブのヘッドに被せてヘッドを被覆するヘッド保護部と、ゴルフクラブのシャフトのヘッド側に被せてヘッド側を被覆するシャフト保護部が連続して設けられ、ヘッド保護部は非伸縮性であるか又は伸縮性に乏しく、シャフト保護部はニット製であるゴルフクラブ用ヘッドカバーにおいて、
前記ヘッド保護部のうち、クラブヘッドのヒール側を被覆する背面部の幅方向両側部分に伸縮部が設けられ、
前記伸縮部はヘッド出し入れ時に外側に広がってヘッドがその内側をスムースに通過できる伸縮性を備えたニット製であり、
前記伸縮部は、非伸縮性であるか又は伸縮性に乏しい前記ヘッド保護部材間に挟まれて設けられ、
前記伸縮部の下部が前記シャフト保護部に連続することを特徴するゴルフクラブ用ヘッドカバー。
【請求項４】
請求項１乃至請求項３のいずれか１項記載のゴルフクラブ用ヘッドカバーにおいて、
ヘッド保護部の前面部も伸縮性を備えたニット製であることを特徴するゴルフクラブ用ヘッドカバー。
【請求項５】
請求項１乃至請求項４のいずれか１項記載のゴルフクラブ用ヘッドカバーにおいて、
ニット製のシャフト保護部の下端にヘッド出入口が開口され、ヘッド出入口の周壁であって、ヘッド保護部の前面部側に縦細長の開閉部が形成され、
前記ヘッド出入口は開閉部を手で横に開くとニット製のシャフト保護部の伸縮性によって口径が広がり、前記開閉部の横への開きを解放すると、前記ニット製シャフト保護部の伸縮性によって口径が縮小することを特徴するゴルフクラブ用ヘッドカバー。
【請求項６】
請求項１乃至請求項５のいずれか１項記載のゴルフクラブ用ヘッドカバーにおいて、
ヘッド保護部の一部に透視窓を設け、透視窓は、クラブヘッドに表示されている番手表示を、クラブヘッドにヘッドカバーを被せたまま外部から透視できるものであることを特徴するゴルフクラブ用ヘッドカバー。
【請求項７】
請求項１乃至請求項６のいずれか１項記載のゴルフクラブ用ヘッドカバーにおいて、
シャフト保護部のヘッド出し入れ口付近にヘッドカバー引き下げ用の摘みを設けたことを特徴するゴルフクラブ用ヘッドカバー。
【請求項８】
請求項１乃至請求項７のいずれか１項記載のゴルフクラブ用ヘッドカバーにおいて、
ヘッド保護部にヘッドカバー引き抜き用の取っ手を設けたことを特徴するゴルフクラブ用ヘッドカバー。
【請求項９】
請求項１乃至請求項８のいずれか１項記載のゴルフクラブ用ヘッドカバーにおいて、
ヘッド保護部又はシャフト保護部に名札入れを設けたことを特徴するゴルフクラブ用ヘッドカバー。
【発明の詳細な説明】
【技術分野】
【０００１】
本発明はゴルフクラブ用ヘッドカバー（以下「ヘッドカバー」と記す）に関するものである。
【背景技術】
【０００２】
ゴルフクラブ（以下「クラブ」と記す）にはウッドクラブ、アイアンクラブ、ユーティリティクラブ、パターがある。ヘッドカバーはクラブヘッドからシャフトに被せてヘッド及びシャフトを保護するものである。
【０００３】
ウッドクラブ、特に、ドライバーは飛距離、方向性等々の面から改良が重ねられ、近年はヘッドが大型化（容積が４００ｃｃ前後）、シャフトは長尺化（４５インチ前後）の傾向にある。それに伴ってウッドクラブ用のヘッドカバーも大型化している。
【０００４】
ウッドクラブ用ヘッドカバーのほとんどは、ヘッドに被せるヘッド保護部と、シャフトに被せるシャフト保護部を備え、ヘッド保護部に伸縮性のない又は伸縮性に乏しい合成皮革が使用され、シャフト保護部に伸縮性に富んだニットが使用され、ヘッド保護部の裾にシャフト保護部の上端部が縫合されている。ヘッド保護部はヘッドに合わせて大きくし、シャフト保護部はシャフトに合わせて細くしてある。
【０００５】
ヘッドカバーをクラブに被せるときはシャフト保護部をヘッドに被せてシャフト側に引き下ろし、取り外す時はヘッド保護部から先に取り外す。いずれの場合も非伸縮性又は伸縮性に乏しいヘッド保護部と伸縮性のあるニット製のシャフト保護部とを縫合した両者の境目でヘッドが引っかかり、スムースに被せたり取り外したりすることが難しい。場合によってはかなり強い力で引いても抜け難く、強い力で被せても被せ難く、ヘッドカバーがヘッドの途中までしか抜けなかったり、途中までしか被らなかったりすることがある。このような状態であわててヘッドカバーを持つとクラブが不用意に抜け落ちることがあり、クラブ損傷の一因となる。また、ヘッドカバーがヘッドに中途半端に装着されたままクラブをキャディーバックに差し込むと、シャフトが剥き出しになってシャフトに傷が付いたり、カート走行中にヘッドカバーが抜け落ちてヘッドに傷が付いたりして、ヘッドカバー本来の目的であるヘッド及びシャフトの保護が不十分になることがある。また、ヘッドカバーが紛失することもある。
【０００６】
前記課題を解決するために次のようなヘッドカバーが開発されている。
１．シャフト保護部にヘッド保護部の近くまでスリットを入れてシャフト保護部を開閉可能にしてシャフト保護部をヘッドに被せ易くし、抜け防止のためにスリットを止め具で閉じるようにしたヘッドカバー（特許文献１参照）。
２．シャフト保護部からヘッド保護部の近くまでを二枚に分割してシャフト保護部をヘッドに被せ易くし、抜け防止のために二枚を面状ファスナーで接合するようにしたヘッドカバー（特許文献２参照）。
３．シャフト保護部にヘッド保護部の近くまでスリットを入れてヘッドに被せ易くし、抜け防止のためにスリットを磁石やファスナー（ジッパー）で閉じるようにしたヘッドカバー（特許文献３参照）。
４．シャフト保護部の全長にシャフト挿入用スリットを入れてヘッドに被せ易くし、抜け防止のためにシャフト挿入用スリット全長を面状ファスナーで閉じるようにしたヘッドカバー（特許文献４参照）。
５．シャフト保護部の全長にスリットを入れてヘッドに被せ易くし、抜け防止のためにスリットを面状ファスナーで閉じるようにしたヘッドカバー（特許文献５参照）。
６．シャフト保護部を筒状のニット製にし、その下端をヘッド出入口としたものがある。
【０００７】
【特許文献１】米国特許第６，３２１，８０５号公報
【特許文献２】特開２００２−９５７７９号公報
【特許文献３】特開２００３−２２５３３５号公報
【特許文献４】特開平９−８４９１０号公報
【特許文献５】実用新案登録第３０８２３６２号公報
【発明の開示】
【発明が解決しようとする課題】
【０００８】
前記１〜５のヘッドカバーはいずれも、シャフト保護部をヘッドに被せるときは面状ファスナー、ジッパー、磁石等の止め具を外し、ヘッドに被せてから止め具を止めなければならないため使用が面倒であり、使い勝手が悪い。また、止め具を止め忘れるとヘッドカバーが不用意に外れることがある。
【０００９】
前記３の磁石を用いたヘッドカバーの場合は、ペースメーカーを装着しているプレーヤーが使用するとペースメーカーに悪影響が及び、ペースメーカー装着者の人体に悪影響が及ぶことがある。そのため、最近は、ヘッドカバーのメーカーがその旨の注意をヘッドカバーの取扱説明書に記載している例もある。
【００１０】
前記３のジッパーを用いたヘッドカバーでは、ジッパーを開閉するときに中の生地がジッパーに食い込んで（生地を噛み込んで）スムースに開閉できなくなることがあり、使い勝手が悪い。
【００１１】
前記２、４、５の面状テープを用いたヘッドカバーでは、面状テープを剥がすときに大きな音が出るため他のプレーヤーに迷惑をかけることがある。また、ヘッドカバーが芝の上に落ちると芝が面状テープに付着して面状テープの係止機能が損なわれることがある。
【００１２】
前記６のシャフト保護部がニットのものはニットの特性で多少は伸び縮みするが、伸びた時のヘッド出入口の最大口径に限度があり、無理に広げるとヘッドカバー出入口が伸びて広がったままになってしまい型が崩れる。それら課題を解決するためにはヘッドカバー出入口の口径を大きくすればよいが、そのようにすると体裁（デザイン）が悪い。また、クラブをキャディーバッグに収納するときにヘッドカバー出入口がキャディーバッグ内の他のアイアンクラブのヘッドに被さったり絡まったりし、キャディーバック内からクラブを抜くときに他のアイアンクラブも同時に抜けることがあり、クラブが抜け難く、アイアンクラブ落下の一因ともなる。
【課題を解決するための手段】
【００１３】
本発明はヘッドに被せたりヘッドから取り外したりする際に前記のような面倒な操作を必要とせず、手軽に被せたり、取り外したりすることのできるヘッドカバーを提供するものである。
【００１４】
本発明のゴルフクラブ用ヘッドカバーは、ゴルフクラブのヘッドに被せてヘッドを被覆するヘッド保護部と、ゴルフクラブのシャフトのヘッド側に被せてヘッド側を被覆するシャフト保護部が連続して設けられ、ヘッド保護部は非伸縮性であるか又は伸縮性に乏しく、シャフト保護部はニット製であるゴルフクラブ用ヘッドカバーにおいて、前記ヘッド保護部のうち、クラブヘッドの両側面側を被覆する両側面部の幅方向一部に伸縮部が設けられ、前記伸縮部はヘッド出し入れ時に外側に広がってヘッドがその内側をスムースに通過できる伸縮性を備えたニット製であり、前記伸縮部はシャフト保護部側から前記側面部の先端側に向けて細長であって、非伸縮性であるか又は伸縮性に乏しい前記ヘッド保護部材間に挟んで設けられ、
前記伸縮部の下部が前記ニット製のシャフト保護部に連続することを特徴するゴルフクラブ用ヘッドカバーである。
【００１５】
本発明のゴルフクラブ用ヘッドカバーは、ゴルフクラブのヘッドに被せてヘッドを被覆するヘッド保護部と、ゴルフクラブのシャフトのヘッド側に被せてヘッド側を被覆するシャフト保護部が連続して設けられ、ヘッド保護部は非伸縮性であるか又は伸縮性に乏しく、シャフト保護部はニット製であるゴルフクラブ用ヘッドカバーにおいて、前記ヘッド保護部のうち、クラブヘッドのヒール側を被覆する背面部の幅方向中央部分に伸縮部が設けられ、前記伸縮部はヘッド出し入れ時に外側に広がってヘッドがその内側をスムースに通過できる伸縮性を備えたニット製であり、前記伸縮部はシャフト保護部から前記背面部の下部に入り込んで設けられて、非伸縮性であるか又は伸縮性に乏しい前記ヘッド保護部材間に挟み込まれて設けられ、前記伸縮部の下部が前記シャフト保護部に連続することを特徴するゴルフクラブ用ヘッドカバーである。
【００１６】
本発明のゴルフクラブ用ヘッドカバーは、ゴルフクラブのヘッドに被せてヘッドを被覆するヘッド保護部と、ゴルフクラブのシャフトのヘッド側に被せてヘッド側を被覆するシャフト保護部が連続して設けられ、ヘッド保護部は非伸縮性であるか又は伸縮性に乏しく、シャフト保護部はニット製であるゴルフクラブ用ヘッドカバーにおいて、前記ヘッド保護部のうち、クラブヘッドのヒール側を被覆する背面部の幅方向両側部分に伸縮部が設けられ、前記伸縮部はヘッド出し入れ時に外側に広がってヘッドがその内側をスムースに通過できる伸縮性を備えたニット製であり、前記伸縮部は非伸縮性であるか又は伸縮性に乏しい前記ヘッド保護部材間に挟まれて設けられ、前記伸縮部の下部が前記シャフト保護部に連続することを特徴するゴルフクラブ用ヘッドカバーである。
【００１７】
本発明のゴルフクラブ用ヘッドカバーは、前記ゴルフクラブ用ヘッドカバーにおいて、ヘッド保護部の前面部も伸縮性を備えたニット製であることを特徴するゴルフクラブ用ヘッドカバーである。
【００１８】
本発明のゴルフクラブ用ヘッドカバーは、前記ゴルフクラブ用ヘッドカバーにおいて、ニット製のシャフト保護部の下端にヘッド出入口が開口され、ヘッド出入口の周壁であって、ヘッド保護部の前面部側に縦細長の開閉部が形成され、前記ヘッド出入口は開閉部を手で横に開くとニット製のシャフト保護部の伸縮性によって口径が広がり、前記開閉部の横への開きを解放すると、前記ニット製シャフト保護部の伸縮性によって口径が縮小するものとすることもできる。
【００１９】
本発明のゴルフクラブ用ヘッドカバーは、前記ゴルフクラブ用ヘッドカバーにおいて、ヘッド保護部の一部に透視窓を設け、透視窓は、クラブヘッドに表示されている番手表示を、クラブヘッドにヘッドカバーを被せたまま外部から透視できるものとすることもできる。
【００２０】
本発明のゴルフクラブ用ヘッドカバーは、前記ゴルフクラブ用ヘッドカバーにおいて、シャフト保護部のヘッド出し入れ口付近にヘッドカバー引き下げ用の摘みを設けたものとすることもできる。
【００２１】
本発明のゴルフクラブ用ヘッドカバーは、前記ゴルフクラブ用ヘッドカバーにおいて、ヘッド保護部にヘッドカバー引き抜き用の取っ手を設けたものとすることもできる。
【００２２】
本発明のゴルフクラブ用ヘッドカバーは、前記ゴルフクラブ用ヘッドカバーにおいて、ヘッド保護部又はシャフト保護部に名札入れを設けたものとすることもできる。
【発明の効果】
【００２３】
本発明のヘッドカバーは次のような効果がある。
１．ヘッド保護部の一又は二以上の箇所の一部又は全部に伸縮部を設けたので、ヘッドに被せたり、ヘッドから取り外したりする時に伸縮部が外側に広がってヘッドがその内側を通過し易くなり、ヘッドカバーの被せも、取り外しもスムースにできる。ヘッドの一部が非伸縮性であるか又は伸縮性に乏しい素材製である場合に特に出し入れし易くなる。
２．シャフト保護部の下端のヘッド出し入れ口付近にクラブヘッド引き下げ用の摘みを取り付けたので、その摘みを引き下げることによりヘッドカバーをクラブに被せ易くなる。
３．ヘッド保護部にヘッドカバー引き抜き用の取っ手を設けたので、その取っ手を引くことによりクラブに被せてあるヘッドカバーの取り外しが容易になる。
４．ヘッド保護部に名札入れを設けたので、そこに名札、名刺等を入れておくことにより、他人のヘッドカバーと区別でき、紛失しても見つかり易くなる。
【発明を実施するための最良の形態】
【００２４】
本発明のヘッドカバーの各種実施形態を図面に基づいて詳細に説明する。本発明のヘッドカバーはドライバーやフェアウェイウッド等のウッドクラブ、ユーティリティクラブ、アイアンクラブ、パター等のいずれのクラブにも使用可能であるが、図示したヘッドカバーはドライバーやフェアウェイウッド用のものである。
【００２５】
（実施形態１）
本発明のヘッドカバーの実施形態の一例として図１（ａ）に示すものは、非伸縮性であるか又は伸縮性に乏しく型崩れしにくい素材である合成皮革製のヘッド保護部１の下に、伸縮性のあるニット製のシャフト保護部２が縫合により接合されている。ヘッド保護部１は底面部（クラブヘッドのソール（底面）部分を被覆する部分）３、前面部（クラブヘッドのクラウン（前面）部分を被覆する部分）４、先端部（クラブヘッドのトウ（先端）部分を被覆する部分）５、側面部（クラブヘッドのフェース（前面）部分を被覆する部分）６、側面部（クラブヘッドのフェースと反対側の後面部分を被覆する部分）７の全てが合成皮革製であるが、背面部（底面部３の下部に連続してクラブヘッドのヒール側を被覆するする部分）２０の幅方向中央部分を切り取り、切り取り部分に伸縮性のあるニットを挟み込んで縫合して伸縮部９とし、伸縮部９の下部をシャフト保護部２と連続させることにより、伸縮部９がヘッド出し入れ時に外側に広がってヘッドがその内側をスムースに通過できるようにしてある。伸縮部９の形状、横幅、長さ等はヘッドが通過し易いように任意に選定することができ、例えば底面部３の先端１０方向に長くすることもできる。
【００２６】
（実施形態２）
本発明のヘッドカバーの第２の実施形態として図２（ａ）に示すものは、基本的構成において図１のヘッドカバーと同様であり、合成皮革製のヘッド保護部１の下にニット製のシャフト保護部２が縫合されている。異なるのはヘッド保護部１の底面部３の下部に連続する背面部２０の幅方向両側部分を切り取り、切り取り部分に伸縮性のあるニットを挟み込んで縫合して伸縮部９としたことである。この伸縮部９の下部をシャフト保護部２と連続させてヘッド出し入れ時にヘッドで外側に押し広げられてヘッドがヘッド保護部１内をスムースに通過できるようにしてある。
【００２７】
（実施形態３）
本発明のヘッドカバーの第３の実施形態として図２（ｂ）に示すものは、基本的には図２（ａ）に示すものと同じ構造であり、異なるのは伸縮部９をヘッド保護部１の底面部３の先端１０側に長くして、伸縮部９の広がり面積を広くしてヘッドの通過を一層容易にしたことである。
【００２８】
（実施形態４）
本発明のヘッドカバーの第４の実施形態として図３（ａ）に示すものも、基本的構成において図１（ａ）（ｂ）、図２の（ａ）（ｂ）に示すヘッドカバーと同じであり、合成皮革製のヘッド保護部１の下にニット製のシャフト保護部２が縫合により接合されている。異なるのはヘッド保護部１の両側面部６、７の下部を切り取り、切り取り部分に伸縮性のあるニットを挟み込んで縫合して伸縮部９としたことである。この伸縮部９の下部もシャフト保護部２と連続させてヘッド出し入れ時にヘッドで外側に押し広げられてヘッドがヘッド保護部１からシャフト保護部２内をムースに通過できるようにしてある。
【００２９】
（実施形態５）
本発明のヘッドカバーの第５の実施形態として図３（ｂ）に示すものは、基本形状は図３（ａ）に示すものと同じであり、異なるのはヘッド保護部１の両側面部６、７を下部から先端側に長く切り取り、切り取り部分にニット製の伸縮部９を縫合して、伸縮部９を両側面部６、７の先端方向に長くしたことである。このように長くすることによりヘッド通過時の伸縮部９の口径が図３（ａ）の場合よりも広がり易くなりヘッドが通過し易くなるようにしてある。
【００３０】
前記実施形態１〜５のいずれの場合も伸縮部９の形状、横幅、長さ等はヘッドが通過し易いように任意に選定することができ、例えば底面３の先端１０方向に長くすることも、横幅を広くすることもできる。
【００３１】
（参考例１）
本発明のヘッドカバーの参考例１として図４（ａ）（ｂ）に示すものは、基本的構成において前記実施形態１〜５と同じであり、ヘッド保護部１の底面部３及び先端部５から両側面部６、７にかけての全周面を合成皮革製にし、その合成皮革製部分を浅くし、ニット製のシャフト保護部２をヘッド保護部１の下縁部１ａまで延長してその延長部を伸縮部９としてある。このヘッドカバーをヘッドに被せればヘッドが合成皮革製のヘッド保護部１とニット製の伸縮部９で被覆され、シャフトがシャフト保護部２で被覆されるため、ヘッド出し入れ時に伸縮部９がヘッドで外側に押し広げられてヘッドがヘッド保護部１からシャフト保護部２内をムースに通過できるようにしてある。ヘッド保護部１の形状、長さ（深さ）は図４（ａ）（ｂ）に示すものよりも浅くすることも深くすることもでき、形状も図示したものと異なるものとすることができる。
【００３２】
（実施形態６）
本発明のヘッドカバーの第６の実施形態として図５（ａ）（ｂ）に示すものは、基本的構成において前記実施形態１〜５及び参考例１と同じであり、ヘッド保護部１の底面部３、前面部４、先端部５、両側面部６、７の上部の全周面を合成皮革製にし、ニット製のシャフト保護部２の上端を両側面部６、７の下端近くまで伸ばしてその上部を伸縮部９としたものである。伸縮部９の形状は他の形状とすることができ、上縁９ａの位置も図示した位置より上又は下にすることができる。伸縮部９は例えば、前面部４まで延ばしてシャフト保護部２から一連のニット製とすることもできる。このようにするとヘッドがさらにヘッドカバー内を通過し易くなる。
【００３３】
（参考例２）
本発明のヘッドカバーの参考例２として図６（ａ）に示すものは、基本的構成において前記実施形態１〜６と同じであり、ヘッド保護部１が合成皮革製であり、ニット製のシャフト保護部２をヘッド保護部１の前面部４の先端部５の近くまで延ばして伸縮部９とし、その伸縮部９の上縁部９ａをヘッド保護部１の下縁部と連続させてある。
【００３４】
（実施形態７）
本発明のヘッドカバーの第７の実施形態として図６（ｂ）に示すものは、基本的構造は図６（ａ）に示すものと同じであり、異なるのはニット製のシャフト保護部２をヘッド保護部１の前面部４の幅方向中央部先端寄りまで伸ばして伸縮部９とし、伸縮部９の上縁部９ａをヘッド保護部１の下縁部と連続させてある。ヘッド保護部１の先端部５側にはベルト状の取っ手１６が取り付けられている。取っ手１６はその両端部１６ａ、１６ｂをヘッド保護部１に縫合してあり、両端部１６ａ、１６ｂの間に手を差し込んで引くことができるようにしてある。取っ手１６はヘッドに被せてあるクラブヘッドを取り外すときに引いて取り外しを容易にするためのものである。ヘッドの大型化に伴ってヘッド保護部も大型化し、ヘッド保護部はそれよりも大きく、しかも、合成皮革とか他の非伸縮性材製であって型崩れしにくいように作ってあるため手で掴み難くクラブヘッドから抜き難いが、取っ手１６があるとそれを摘んで取り外し易くなる。
【００３５】
（実施形態８）
本発明のヘッドカバーの第８の実施形態として図７（ａ）（ｂ）に示すものは、基本的構成において前記実施形態１〜７と同じであり、ニット製のシャフト保護部２をヘッド保護部１の前面部４の先端部５の近くまで伸ばして伸縮部９とし、シャフト保護部２をヘッド保護部１の背面部２０まで延ばして伸縮部９とし、それら伸縮部９の外周縁部をヘッド保護部１に縫合して接合してある。この実施形態でもヘッド保護部１の先端部５側にベルト状の取っ手１６を取り付け、その両端部１６ａ、１６ｂ間に手を差し込んで引くことができるようにしてある。この場合、伸縮部９をシャフト保護部２と一連に編むのではなく、伸縮部９をヘッド保護部１の両端面部６、７の間に縫合して一つのヘッド保護部１とし、そのヘッド保護部１をシャフト保護部２と接合部８で縫合することもできる。
【００３６】
（実施形態９）
本発明のヘッドカバーの第９の実施形態として図２（ｂ）、図３（ｂ）に示すものは、基本的構成において前記実施形態１〜８と同じであり、シャフト保護部１の下端のヘッド出入口にクラブヘッド引き下げ用の摘み１７を設けてある。摘み１７にはリング状の布片とか紐などを使用することができる。図２（ｂ）、図３（ｂ）の摘み１７はシャフト保護部１の開閉部１４の内側に取り付けてあるが、開閉部１４がない場合はシャフト保護部１を引き下げ易い場所、例えば、シャフト保護部１の下端に下方に突出するように取り付けることができる。
【００３７】
（実施形態１０）
本発明のヘッドカバーの第１０の実施形態として図８に示すものは、基本的構成において前記実施形態１〜９と同じであり、ヘッド保護部１の底面部３のほぼ全面を透明材にして窓１８を形成してクラブヘッドの番手表示（図２では３の数字）１９を、ヘッドカバーを被せたまま外部から透視できるようにし、ヘッド保護部１の前面部４と背面部２０の双方にニット製の伸縮部９を設けてあり、夫々の伸縮部９の外周縁をヘッド保護部１に縫合して接合してある。伸縮部９はニット製のシャフト保護部２と一連に編んである。窓１８はアクリル、ビニール、その他の任意材質の透明或いは半透明な素材とかメッシュ等、任意の部材製とすることができる。窓１８はその外周縁部がヘッド保護部１の底面部３及び両側面部６、７に縫い付けや接着等の手段で取り付けられている。窓１８の形状、サイズ、形成箇所（位置）等は、収容するクラブヘッドのサイズ、形状、番手表示１９の位置等に応じて任意に選択することができる。例えば、図９のように番手表示１９がクラブヘッドの先端部に表示されている場合はその位置に形成することができる。図示した窓１８はヘッドカバーに局部的に設けてあるが、ヘッド保護部１の全体を透明又は半透明にして窓１８とすることもできる。この場合は、クラブヘッドの番手表示１９のみならずヘッド全体を透視できる。窓１８を設ければクラブヘッドの番手確認のために一々ヘッドカバーを外す必要がなく確認が容易であり、キャディからプレーヤーへのクラブの渡し間違い等もなくなり、クラブ間違いによるミスショットも防止できる。ヘッドカバーに番手数字を表示する必要がないためヘッドカバーを番手別に用意する必要がなく、ヘッドカバーの製造管理、在庫管理が容易になる。
【００３８】
（実施形態１１）
本発明のヘッドカバーの第１１の実施形態として図１（ｂ）に示すものは、基本的構成において前記実施形態１〜１０と同じであり、シャフト保護部２の下端のヘッド出入口１３の周壁の一部に開閉部１４を形成して、開閉部１４の両側を手で開くとニットの伸縮性によってヘッド出入口１３の口径が広がり、ヘッドに被せてから開閉部１４から手を離すとニットの伸縮性によって開閉部１４の口径が自動的に小さくなる（戻る）ようにすることもできる。開閉部１４は編んだシャフト保護部２の下部にスリットを入れ、スリットの周縁の表裏両面にテープ状の補強材１５を宛がって糸で縫い付けたり、接着剤で貼り付けたりして補強してある。ヘッド出入口１３の周壁は折り返して補強してある。開閉部１４はシャフト保護部２を編むときに形成することもできる。開閉部１４の深さ（縦長長）や横幅は他の形状や寸法にすることもできる。
【００３９】
（実施形態１２）
本発明のヘッドカバー第１２の実施形態として図１（ｂ）に示すものは、基本的構成において前記実施形態１〜１１と同じであり、名札入れ１１を設けることもできる。図１（ｂ）の名札入れ１１は右側面が開口しており、その開口部から名札、名刺等を出し入れできるようにしてある。名札入れ１１は内部に入れた名札を透視できるように透明にしてあり、中央部に横長楕円形の開口窓１２を設けて、名札を出し入れし易くしてある。名札入れ１１を設ける箇所は特に限定されないが定形性のあるヘッド保護部に設けると、入れた名札が型崩れし難く見易い。名札入れ１１は図示した以外の位置、形状、サイズとすることができる。
【図面の簡単な説明】
【００４０】
【図１】（ａ）は本発明のヘッドカバーの一例を示す背面図、（ｂ）は（ａ）の名札入れを設けたヘッドカバーの側面図。
【図２】（ａ）は本発明のヘッドカバーの他例の背面図、（ｂ）は（ａ）の伸縮部を上方まで延ばしてヘッド出し入れ口に開口部を設け、開口部に摘みを設けたヘッドカバーの背面図。
【図３】（ａ）は本発明のヘッドカバーの他例の背面図、（ｂ）は（ａ）の伸縮部を上方まで延ばしてヘッド出し入れ口に開口部を設け、開口部に摘みを設けたヘッドカバーの背面図。
【図４】（ａ）は本発明のヘッドカバーの参考例の背面図、（ｂ）は（ａ）のヘッドカバーの側面図。
【図５】（ａ）は本発明のヘッドカバーの他例の一方の側面図、（ｂ）は（ａ）のヘッドカバーの他方の側面図。
【図６】（ａ）は本発明のヘッドカバーの参考例の正面図、（ｂ）は（ａ）の伸縮部を小さくし先端側に取っ手を設けたヘッドカバーの正面図。
【図７】（ａ）は先端側に取っ手を設けた本発明のヘッドカバーの他例の側面図、（ｂ）は（ａ）のヘッドカバーの背面図。
【図８】底面部を透明窓にしたヘッドカバーの斜視図。
【図９】先端部を透明窓にしたヘッドカバーの斜視図。
【符号の説明】
【００４１】
１  ヘッド保護部
１ａ  ヘッド保護部の下縁部
２  シャフト保護部
３  底面部
４  前面部
５  先端部
６、７  両側面部
８  シャフト保護部との接合部
９  伸縮部
９ａ  伸縮部の上縁部
１０  底面部の先端
１１  名札入れ
１２  開口窓
１３  ヘッド出入口
１４  開閉部
１５  補強材
１６  取っ手
１６ａ、１６ｂ  取っ手の両端部
１７  摘み
１８  窓
１９  クラブヘッドの番手表示
２０  ヘッド保護部の背面部
【図１】
0004713551.tif 000002
【図２】
0004713551.tif 000003
【図３】
0004713551.tif 000004
【図４】
0004713551.tif 000005
【図５】
0004713551.tif 000006
【図６】
0004713551.tif 000007
【図７】
0004713551.tif 000008
【図８】
0004713551.tif 000009
【図９】
0004713551.tif 000010